(57)【要約】      （修正有）【課題】使用済み生理用品用収容袋入り携帯ケースを提供する。【解決手段】ケース本体１０１に、折り畳まれた状態で上下に複数枚重ねられた状態の収容袋１０が一枚ずつ取出口１０２から取出し可能に収容され、各収容袋１０は、一端に使用済み生理用品を中に収容する開口部１１が設けられるとともに、開口部１１寄りの端部に両脇にかけて保護テープ１２付きの粘着部１３が設けられ、開口部１１から使用済み生理用品を中に収容しかつ保護テープ１２を外した状態で、開口部１１側から収納袋１０の一端を粘着部１３内に折り畳んで密封部を形成する。【選択図】図１
0003172319.tif 000002
【実用新案登録請求の範囲】
【請求項１】
ケース本体に、折り畳まれた状態で上下に複数枚重ねられた状態の使用済み生理用品用収容袋が一枚ずつ取出口から取出し可能に収納され、各収容袋は、一端に使用済み生理用品を中に収容する開口部が設けられるとともに、前記開口部寄りの端部に両脇にかけて保護テープ付きの粘着部が設けられ、前記開口部から使用済み生理用品を中に収容しかつ保護テープを外した状態で、開口部側から収容袋の一端を粘着部内に折り畳んで密封部を形成することを特徴とする使用済み生理用品用収容袋入り携帯ケース。
【請求項２】
開口部側から収容袋の一端を粘着部内に複数回折り畳んで密封部を形成することを特徴とする請求項１記載の使用済み生理用品用収容袋入り携帯ケース。
【請求項３】
粘着部の近傍に両脇にかけて保護テープ付きの粘着片が一体に設けられ、前記開口部から使用済み生理用品を中に収容しかつ両保護テープを外した状態で、開口部側から収容袋の一端を粘着部ごと折り畳むとともに、その上から粘着片を積層することにより、密封部を形成することを特徴とする請求項１または請求項２記載の使用済み生理用品用収容袋入り携帯ケース。
【請求項４】
各収容袋が不透明の材質からなることを特徴とする請求項１ないし請求項３のいずれか一項記載の使用済み生理用品用収容袋入り携帯ケース。
【考案の詳細な説明】
【技術分野】
【０００１】
本考案は、収容袋が多数収納された使用済み生理用品用収容袋入り携帯ケースに関する。
【背景技術】
【０００２】
一般に、使用済み生理用品は粘着テープ等で包んで自宅トイレの三角コーナーなどに捨て、その後廃棄処分するようにしている。しかしながら、粘着テープ等の粘着力が弱く時間がたつと包んでいたものが開いてしまい、匂い漏れや衛生面で問題があった。また、外出先ではトイレに三角コーナーが設置されていない場所がある。さらに、訪問先によってはトイレに設置されていても使用済み生理用品を捨てるのに気が引ける場合がある。かかる場合、使用済み生理用品を外出先でどのように処分するかどのようにして自宅に持ち帰るか困る事態が生じる。
【０００３】
生理用品に関しては、従来より種々の提案、例えば施錠可能な蓋を備えた収納箱が提案されている（特許文献１参照）。
【先行技術文献】
【特許文献】
【０００４】
【特許文献１】特開平１１−３３２７９３号公報
【考案の概要】
【考案が解決しようとする課題】
【０００５】
しかしながら、外出時に気軽に持ち歩き、使用済み生理用品を密封状態に収容し自宅に衛生的に持ち帰れるようにした収容袋入りの携帯ケースは、これまで提案されていなかった。
【０００６】
本考案は上記課題に鑑みてなされたもので、外出時に気軽に持ち歩くことができ、使用済み生理用品を密封状態に収容して自宅に衛生的に持ち帰り、自宅で廃棄処分できるようにした、使用済み生理用品用収容袋入り携帯ケースを提供することを目的とする。
【課題を解決するための手段】
【０００７】
上記課題を解決するために、本考案に係る使用済み生理用品用収容袋入り携帯ケースは、ケース本体に、折り畳まれた状態で上下に複数枚重ねられた状態の使用済み生理用品用収容袋が一枚ずつ取出口から取出し可能に収容され、各収容袋は、一端に使用済み生理用品を中に収容する開口部が設けられるとともに、前記開口部寄りの端部に両脇にかけて保護テープ付きの粘着部が設けられ、前記開口部から使用済み生理用品を中に収容しかつ保護テープを外した状態で、開口部側から収容袋の一端を粘着部内に折り畳んで密封部を形成することを主要な特徴とする。
【０００８】
本考案に係る使用済み生理用品用収容袋入り携帯ケースによると、折り畳まれた状態の収容袋が上下に複数枚重ねられた状態で収納されたケース本体を、例えば、外出時にバッグ等に収納して気軽に持ち歩くことができる。そして、外出時にケース本体の取出口から一枚の収容袋を取出し、使用済み生理用品を中に収容するとともに、保護テープを外して、開口部側から収容袋の一端を粘着部内に折り畳むことで、開口部全体を容易に密封することができる。これにより、使用済み生理用品を密封状態の収容袋に収容して自宅に衛生的に持ち帰り、自宅で廃棄処分することができるようになる。
【０００９】
本考案に係る使用済み生理用品用収容袋入り携帯ケースは、開口部側から収容袋の一端を粘着部内に複数回折り畳んで密封部を形成することを第２の特徴とする。
【００１０】
本考案に係る使用済み生理用品用収容袋入り携帯ケースは、粘着部の近傍に両脇にかけて保護テープ付きの粘着片が一体に設けられ、前記開口部から使用済み生理用品を中に収容しかつ両保護テープを外した状態で、開口部側から収容袋の一端を粘着部ごと折り畳むとともに、その上から粘着片を積層することにより、密封部を形成することを第３の特徴とする。
【００１１】
本考案に係る使用済み生理用品用収容袋入り携帯ケースは、各使用済み生理用品収容袋が不透明の材質からなることを第４の特徴とする。密封状態の収容袋に収容した使用済み生理用品が外から視認されなくなる。
【考案の効果】
【００１２】
以上説明したように、本考案に係る使用済み生理用品用収容袋入り携帯ケースによると、折り畳まれた状態の収容袋が上下に複数枚重ねられた状態で収納されたケース本体を、外出時にバッグ等に収納して気軽に持ち歩くことができ、外出時にケース本体から収容袋を一枚取出して、使用済み生理用品を密封状態に収容し、これを自宅に衛生的に持ち帰るとともに、自宅で廃棄処分できるという優れた効果を奏する。これにより、外出先での使用済み生理用品の処置に困っていた女性にとって、使い勝手に優れた収容袋入り携帯ケースを提供することができる。
【００１３】
また、本考案に係る使用済み生理用品用収容袋入り携帯ケースは、公共施設や大型施設等のトイレに設置して中の収容袋を公共施設等に訪れた女性が気軽に使用できるという優れた効果を奏する。
【図面の簡単な説明】
【００１４】
【図１】（Ａ）は使用済み生理用品用収容袋入り携帯ケースの斜視図、（Ｂ）は同収容袋の斜視図、
【図２】（Ａ）は図１（Ｂ）のＡ−Ａ線断面図、（Ｂ）は図１に示す収容袋の平面図、
【図３】図１に示す収容袋に使用済み生理用品を密封状態に収容した状態を示す斜視図、
【図４】（Ａ）は別の収容袋を示す斜視図、（Ｂ）は収容袋を密封した状態を示す要部側面図である。
【考案を実施するための最良の形態】
【００１５】
以下、本考案を実施するための最良の形態について、図面を参照しながら説明する。図１ないし図３は、本考案に係る使用済み生理用品用収容袋入り携帯ケースの第１の実施形態を示すもので、これらの図において、符号１００は収容袋入り携帯ケースを示している。
【００１６】
収容袋入り携帯ケース１００は、図１（Ａ）に示すように、ケース本体１０１（図示例の場合、サイズ横１０ｃｍ、縦７．５ｃｍ）に、多数枚の使用済み生理用品用収容袋（以下、「収容袋」と称す）１０（図示例の場合、サイズ横１０ｃｍ、縦１５ｃｍ）が二つ折りで収容されている。ケース本体１０１は、可撓性のあるビニール製またはプラスチック製からなり、上面に収容袋１０の取出口１０２が設けられている。このケース本体１０１内には、２つに折り畳まれた状態の収容袋１０が、上下に多数枚重ねられた状態で一枚ずつ前記取出口１０２から取出し可能に収容されている。
【００１７】
収容袋１０は、使用済み生理用品１を収容する大きさを有し、折り畳み可能な不透明なビニール製からなる。図１（Ｂ）に示すように、収容袋１０の一端１０ａには使用済み生理用品１を中に収容する開口部１１が設けられるとともに、開口部１１寄りに両脇にかけて保護テープ１２付きの粘着部１３が設けられている。この粘着部１３は、前記開口部１１から使用済み生理用品１を中に収容しかつ保護テープ１２を外した状態で、図２から図３に示すように、開口部１１側から粘着部１３の範囲内で複数の折り畳み線１３ａに沿って複数回折り畳むことにより、収容袋１０の一端１０ａに密封部１４を形成し、前記開口部１１全体を密封できるようになっている。
【００１８】
粘着部１３には、開口部１１側から複数回折り畳んで同開口部１１全体の密封状態を長期維持できる強さの粘着剤１５が全体に塗布されている。
【００１９】
次に、上記構成の収容袋入り携帯ケース１００について、使用方法を以下に説明する。
【００２０】
収容袋入り携帯ケース１００は、未使用状態では、図１（Ａ）に示すように、ケース本体１０１に多数枚の収容袋１０が収容されている。サイズが非常にコンパクトでかつ軽量であり、外出時にバッグ等にハンカチやポケットティッシュ等とともに収納して気軽に持ち歩くことができる。
【００２１】
そして、外出時に上記収容袋１０を使用する場合、バッグ等に収納した携帯ケース１００を取出し、ケース本体１０１の取出口１０２から一番上の収容袋１０を一枚取り出す。端部の開口部１１を開いて使用済み生理用品１を中に収容し、保護テープ１２を外す。後は、図２（Ｂ）に示す折り畳み線１３ａ（図示例では２箇所）に沿って、開口部１１側を摘んで粘着部１３内へ複数回（図示例では２回）、折り畳む。これにより、収容袋１０の一端１０ａの開口部１１を二重に密封する。
【００２２】
収容袋１０の開口部１１は、図３に示すように、粘着部１３の範囲内で複数回折り畳まれるので、完全に密封される。後は、収容袋１０に密封された使用済み生理用品１を、収容袋１０ごとバッグ等に入れて、自宅に衛生的に持ち帰り、自宅で廃棄処分することができる。
【００２３】
ケース本体１０１には、多数枚の収容袋１０が収容されているから、バッグ等に常備するなどして、その都度、ポケットケース本体１０１から収容袋１０を一枚ずつ取出して、気軽に使用することができる。
【００２４】
図４は、本考案に係る使用済み生理用品用収容袋入り携帯ケースの第２の実施形態を示すもので、これらの図において、符号２０は収容袋を示している。
【００２５】
本実施形態において、収容袋２０には、収容袋１０と同様に、開口部２１の隣接部分に両脇にかけて保護テープ２２付きの粘着部２３が設けられている。さらに、粘着部２３の密着部２４を間に設けて、その隣接部分に両脇にかけて保護テープ２５付きの粘着片２６が一体に設けられている。粘着片２６には内面に粘着部２７が設けられている。粘着部２３，２７には全面に粘着剤２８が塗布されている。
【００２６】
かかる収容袋２０は、開口部２１から使用済み生理用品１を中に収容しかつ両保護テープ２２，２５を外した状態で、収容袋２０の一端２０ａの粘着部２３全体を密着部２４に折り畳んで密着し、その上から粘着片２６の粘着部２７を積層して密着することにより、収容袋２０の一端２０ａに密封部２９を形成し、開口部２１全体を二重に密封するようになっている。
【００２７】
本実施形態の収容袋２０によると、粘着片２６をさらに用いることにより、開口部２１の密封性をさらに高めることができる。
【００２８】
ケース本体１０１の材質は、ビニールやプラスチックが好適であるが、他の材質、例えば木製やアルミ等の金属製であってもよい。収容袋１０は不透明なビニール袋であればよく、黒色、青色その他の有色であればよい。
【００２９】
かくして、本考案に係る使用済み生理用品用収容袋入り携帯ケースを外出先に気軽に持ち運ぶとともに、外出先で使用済み生理用品を収容袋に収容し密封して自宅に衛生的に持ち帰り、自宅で廃棄処分することができるようになる。
【００３０】
さらに、本考案に係る使用済み生理用品用収容袋入り携帯ケースは、公共施設や、デパート・空港・飲食店等の大型施設のトイレにおいて、トイレットペーパーの隣に設置することで、同携帯ケースを持参していない場合であっても、収容袋を取出して気軽に使用することができる。
【産業上の利用可能性】
【００３１】
本考案に係る使用済み生理用品の収容袋入りポケットケースは、外出先で使用済み生理用品を気軽に収容し密封して自宅に衛生的に持ち帰れる用具として幅広く利用可能である。
【符号の説明】
【００３２】
１  使用済み生理用品
１０，２０  収容袋
１１，２１  開口部
１２，２２，２５  保護テープ
１３，２３，２７  粘着部
１３ａ  折り畳み線
１５，２９  密封部
１５，２８  粘着剤
２４  密着範囲
２６  粘着片
１００  収容容器入り携帯ケース
１０１  ケース本体
１０２  取出口
【図１】
0003172319.tif 000003
【図２】
0003172319.tif 000004
【図３】
0003172319.tif 000005
【図４】
0003172319.tif 000006